(57)【要約】【課題】直交偏波信号受信装置及び交差偏波干渉補償制御方法に関し、受信信号の異常検出時でも、偏波干渉補償を有効に行うようにする。【解決手段】Ｖ偏波受信装置１００及びＨ偏波受信装置２００は、自装置で受信する信号と異なる偏波の信号を受信する異偏波受信装置に対して、自装置で受信した信号を干渉補償用信号として出力し、異偏波受信装置から入力される干渉補償用信号を用いて、自装置で受信される信号の偏波干渉を補償する。自装置の受信信号の異常が検出されたとき、干渉補償用信号の出力停止の有効性を判定する判定部１１１と、判定部１１１により干渉補償用信号の出力停止が有効でないと判定された場合、該干渉補償用信号の異偏波受信装置への出力停止を解除するスケルチ部１０２を備える。受信信号が異偏波受信装置での偏波干渉補償用として使用に適する場合、該受信信号を干渉補償用信号として異偏波受信装置に送出する。【選択図】図１
2011103502.tif 000002
【特許請求の範囲】
【請求項１】
直交する第１及び第２の偏波を用いてそれぞれ伝送される第１及び第２の信号をそれぞれ受信する第１及び第２の受信装置を有し、
前記第１及び第２の受信装置は、自装置で受信する信号と異なる偏波の信号を受信する異偏波受信装置に対して、自装置で受信した信号を干渉補償用信号として出力し、前記異偏波受信装置から入力される干渉補償用信号を用いて、自装置で受信される信号の偏波干渉を補償する直交偏波信号受信装置において、
前記第１及び第２の受信装置は、受信信号の異常が検出されたとき、前記干渉補償用信号の出力停止の有効性を判定する判定部と、
前記判定部により前記干渉補償用信号の出力停止が有効でないと判定された場合、該干渉補償用信号の前記異偏波受信装置への出力停止を解除するスケルチ部と、
を備えたことを特徴とする直交偏波信号受信装置。
【請求項２】
前記判定部は、自装置における偏波干渉補償を停止させた状態で、自装置の受信信号の異常検出が解消されない場合に、前記干渉補償用信号の出力停止に有効性がないと判定することを特徴とする請求項１に記載の直交偏波信号受信装置。
【請求項３】
前記判定部は、自装置における偏波干渉補償を作動させた状態で、該偏波干渉補償後の信号の、信号座標上での信号点分布状況が正常な信号点分布状況である場合に、前記干渉補償用信号の出力停止に有効性がないと判定することを特徴とする請求項１に記載の直交偏波信号受信装置。
【請求項４】
直交する第１及び第２の偏波を用いてそれぞれ伝送される第１及び第２の信号をそれぞれ受信する第１及び第２の受信装置を有し、
前記第１及び第２の受信装置は、自装置で受信する信号と異なる偏波の信号を受信する異偏波受信装置に対して、自装置で受信した信号を干渉補償用信号として出力し、前記異偏波受信装置から入力される干渉補償用信号を用いて、自装置で受信される信号の偏波干渉を補償する直交偏波信号受信装置において、
前記第１及び第２の受信装置は、受信信号の異常が検出されたとき、前記干渉補償用信号を所定レベル変化させて出力するレベル制御部と、
前記異偏波受信装置から入力される干渉補償用信号のレベルを検出するレベル検出部と、
前記異偏波受信装置から入力される干渉補償用信号のレベルが正常時のレベルと異なるレベルであることを検出したとき、自装置の偏波干渉補償を停止状態と作動状態とに切り替えて該干渉補償用信号の有効性を判定し、該干渉補償用信号が有効と判定された場合に、自装置の偏波干渉補償を作動状態にする制御部と、
を備えたことを特徴とする直交偏波信号受信装置。
【請求項５】
直交する第１及び第２の偏波を用いてそれぞれ伝送される第１及び第２の信号をそれぞれ受信する第１及び第２の受信装置を有し、
前記第１及び第２の受信装置は、自装置で受信する信号と異なる偏波の信号を受信する異偏波受信装置に対して、自装置で受信した信号を干渉補償用信号として出力し、前記異偏波受信装置から入力される干渉補償用信号を用いて、自装置で受信される信号の偏波干渉を補償する直交偏波信号受信装置において、
前記第１及び第２の受信装置は、自装置で受信する信号と異なる偏波の信号を受信する異偏波受信装置から入力される干渉補償用信号に対して、フレーム同期処理を行うフレーム同期部と、
前記フレーム同期部によるフレーム同期状態、及び該干渉補償用信号のフレーム中から抽出した、前記第１又は第２の何れの偏波であるかを示す偏波識別信号を基に、自装置の受信信号と、前記異偏波受信装置から入力された干渉補償用信号とが、同一信号源であるか否かを判定し、異なる信号源と判定された場合には、自装置の偏波干渉補償を作動させる制御部と、
を備えたことを特徴とする直交偏波信号受信装置。
【請求項６】
前記第１及び第２の受信装置は、受信信号の異常が検出されたとき、前記干渉補償用信号を所定レベル変化させて出力するレベル制御部と、
前記異偏波受信装置から入力される干渉補償用信号のレベルを検出し、該干渉補償用信号のレベルが正常時のレベルと異なるレベルであることを検出したとき、前記フレーム同期部を動作状態にするレベル検出部と、
を備えたことを特徴とする請求項５に記載の直交偏波信号受信装置。
【請求項７】
直交する第１及び第２の偏波を用いてそれぞれ伝送される第１及び第２の信号を、それぞれ第１及び第２の受信装置で受信し、
前記第１及び第２の受信装置は、自装置で受信する信号と異なる偏波の信号を受信する異偏波受信装置に対して、自装置で受信した信号を干渉補償用信号として出力し、前記異偏波受信装置から入力される干渉補償用信号を用いて、自装置で受信される信号の偏波干渉を補償する交差偏波干渉補償制御方法において、
前記第１及び第２の受信装置は、受信信号の異常が検出されたとき、前記干渉補償用信号の出力停止の有効性を判定する第１のステップと、
前記第１のステップにより前記干渉補償用信号の出力停止が有効でないと判定された場合、該干渉補償用信号の前記異偏波受信装置への出力停止を解除する第２のステップと、
を含むことを特徴とする交差偏波干渉補償制御方法。
【発明の詳細な説明】
【技術分野】
【０００１】
本発明は、直交する２つの偏波を用いて伝送される信号を受信する直交偏波信号受信装置及び交差偏波干渉補償制御方法に関する。
【背景技術】
【０００２】
無線通信や光通信では、直交する２つの偏波（Ｖ偏波、Ｈ偏波）を用いて２つの信号を伝送することが可能である。２つの偏波（Ｖ偏波、Ｈ偏波）を用いる伝送装置において、偏波干渉により信号品質が低下する場合は、偏波干渉を除去する交差偏波干渉補償部（ＸＰＩＣ：Cross Polarization Interface Canceller）が使用される。交差偏波干渉補償部（ＸＰＩＣ）は、異なる偏波を使用する受信装置間において、異偏波側受信装置の受信信号によって偏波干渉成分を相殺する。
【０００３】
図２１に従来の直交偏波信号受信装置の構成例を示す。図２１において、１００はＶ偏波受信装置、２００はＨ偏波受信装置である。Ｖ偏波受信装置１００及びＨ偏波受信装置２００は、それぞれ、受信部１０１，２０１、スケルチ部１０２，２０２、自偏波復調部１０３，２０３、異偏波復調部１０４，２０４、干渉補償部１０５，２０５、信号処理部１０６，２０６、スケルチ制御部１０７，２０７を備える。
【０００４】
ここで、自偏波復調部は、Ｖ偏波受信装置１００においては、Ｖ偏波信号を復調するＶ偏波復調部１０３であり、Ｈ偏波受信装置２００においては、Ｈ偏波信号を復調するＨ偏波復調部２０３である。また、異偏波復調部は、Ｖ偏波受信装置１００においては、Ｈ偏波信号を復調するＨ偏波復調部１０４であり、Ｈ偏波受信装置２００においては、Ｖ偏波信号を復調するＶ偏波復調部２０４である。
【０００５】
Ｖ偏波受信装置１００及びＨ偏波受信装置２００は、それぞれ、Ｖ偏波及びＨ偏波の信号を受信部１０１，２０１で受信し、該受信部１０１，２０１は、それぞれＶ偏波及びＨ偏波の信号を中間周波数信号（ＩＦ）に変換する。該中間周波数信号（ＩＦ）は、自偏波復調部１０３，２０３により復調されるとともに、スケルチ部１０２，２０２を介し、異偏波側の受信装置の異偏波復調部１０４，２０４に出力される。
【０００６】
異偏波復調部１０４，２０４は、異偏波側の受信装置から出力される中間周波数信号ＸＩＦ（Ｈ），ＸＩＦ（Ｖ）を入力して復調する。干渉補償部１０５，２０５は、自偏波復調部１０３，２０３の出力信号に対して、異偏波復調部１０４，２０４の出力信号を用いて偏波干渉を補償する。該偏波干渉を補償した信号は、信号処理部１０６，２０６により処理される。
【０００７】
直交偏波信号を伝送する通信システムにおいて、例えばＶ偏波側の送信が停止すると、Ｖ偏波受信装置１００でＨ偏波信号が干渉により受信される場合がある。この状態でＶ偏波受信装置１００の受信信号の中間周波数信号ＸＩＦ（Ｖ）を、偏波干渉の補償用信号としてＨ偏波受信装置２００で使用すると、干渉補償部２０５では、Ｈ偏波の受信信号の中間周波数信号と同一の信号源で偏波干渉補償を行うこととなる。
【０００８】
その結果、同一信号の相殺又は加算により信号点座標上で信号消失又は発散が発生し、Ｈ偏波受信装置２００では通信品質を損なう可能性がある。そのため、Ｖ偏波側で送信停止が発生した場合には、Ｈ偏波受信装置２００での干渉補償部２０５の機能を停止させる。Ｈ偏波側で送信が停止された場合も同様に、Ｖ偏波受信装置１００での干渉補償部１０５の機能を停止させる。
【０００９】
送信装置での送信停止が発生した場合には、受信装置１００，２００の自偏波復調部１０３，２０３や信号処理部１０６，２０６等で異常が検出される。従来は、自偏波復調部１０３，２０３等で受信信号の異常が検出された場合には、スケルチ制御部１０７，２０７によりスケルチ部１０２，２０２を制御し、中間周波数信号ＸＩＦ（Ｖ），ＸＩＦ（Ｈ）（偏波干渉の補償用信号）の送出を停止する。異偏波復調部２０４，１０４は、中間周波数信号ＸＩＦ（Ｖ），ＸＩＦ（Ｈ）の信号入力断を検出し、干渉補償部２０５，１０５の機能を停止する。
【００１０】
図２２は、従来の受信信号の異常検出時の交差偏波干渉補償の動作シーケンス例を示す。この例は、Ｖ偏波側の受信信号の異常検出時のＨ偏波受信装置の交差偏波干渉補償（ＸＰＩＣ）の動作シーケンス例を示している。（ａ）はＶ偏波側の受信信号の正常／異常を示し、（ｂ）はＶ偏波側の中間周波数信号ＸＩＦ（Ｖ）の出力を示し、（ｃ）はＨ偏波側の交差偏波干渉補償（ＸＰＩＣ）の動作を示している。
【００１１】
図２２に示すように、Ｖ偏波側の受信信号が正常のときは、Ｖ偏波側の中間周波数信号ＸＩＦ（Ｖ）を送出し、Ｈ偏波側で干渉補償部（ＸＰＩＣ）を作動させる。しかし、Ｖ偏波側の受信信号が異常のときは、スケルチ部によりＶ偏波側の中間周波数信号ＸＩＦ（Ｖ）の出力を停止し、Ｈ偏波側では干渉補償部（ＸＰＩＣ）の機能を停止する。
【００１２】
図２３に従来の受信信号の異常検出時の交差偏波干渉補償の処理フロー例を示す。この例は、Ｖ偏波側の受信信号の異常検出時のＨ偏波受信装置の交差偏波干渉補償（ＸＰＩＣ）の処理フロー例を示している。Ｖ偏波受信装置では、受信信号の異常を検出すると（２３−１）、スケルチを起動してＶ偏波受信信号の中間周波数信号ＸＩＦの送出を停止する（２３−２）。Ｈ偏波受信装置では、Ｖ偏波受信装置からの中間周波数信号ＸＩＦの入力断を検出すると（２３−３）、偏波干渉補償（ＸＰＩＣ）の機能を停止する（２３−４）。
【００１３】
その後、Ｖ偏波受信装置で、受信信号の正常復帰を検出すると（２３−５）、スケルチを解除してＶ偏波受信信号の中間周波数信号ＸＩＦの送出を開始する（２３−６）。Ｈ偏波受信装置では、Ｖ偏波受信装置からの中間周波数信号ＸＩＦの入力復旧を検出すると（２３−７）、偏波干渉補償（ＸＰＩＣ）の機能を起動する（２３−８）。
【００１４】
偏波干渉補償に関する技術として、Ｖ／Ｈ偏波の片側に障害が起きて回線断となったときでも、受信側で本来の送信信号に換えて擬似信号を送出し、交差偏波干渉補償器の動作を保持し、交差偏波干渉補償を行う交差偏波干渉補償器が知られている（特許文献１参照）。
【００１５】
また、交差偏波干渉補償において、クロスリセット時における復調信号への影響を抑え、異偏波に対応したチャネルによる干渉の補償を安定化するために、復調信号に積分処理を施して負帰還する交差偏波干渉補償器が知られている（特許文献２参照）。
【００１６】
また、位相雑音による交差偏波干渉補償特性の劣化を防止する両偏波受信装置として、位相雑音成分を各偏波間で入れ替えた位相制御信号を用いて、直交偏波（異偏波）の位相雑音量を抑圧する技術が知られている（特許文献３参照）。また、自偏波から異偏波への漏れ込みが大きい場合でも同期することを可能にした交差偏波干渉補償器が知られている（特許文献４参照）。
【先行技術文献】
【特許文献】
【００１７】
【特許文献１】特開平５−２９１９７０号公報
【特許文献２】特開平６−１８１４６４号公報
【特許文献３】特開２００４−１７２９７５号公報
【特許文献４】特開２００４−２６０３５１号公報
【発明の概要】
【発明が解決しようとする課題】
【００１８】
直交偏波を用いて２つの信号を伝送する通信システムにおいて、送信装置で送信が停止した場合には、受信装置で受信信号の異常が検出される。従来は、受信信号の異常を検出した場合には、異偏波側受信装置の干渉補償部で使用される偏波干渉補償用の中間周波数信号の送出を停止する。異偏波側受信装置では、この中間周波数信号の入力断を検出して偏波干渉補償を停止していた。
【００１９】
しかし、受信信号の異常検出は、対向する送信装置側での送信停止以外にも要因がある。従来は受信信号の異常検出時に、一律に異偏波側受信装置への偏波干渉補償用の中間周波数信号の送出を停止し、偏波干渉補償の動作を停止させていたため、偏波干渉補償による信号品質の改善を損ねる場合があった。本発明は、受信信号の異常検出時でも、偏波干渉補償を有効に行うことを可能にする。
【課題を解決するための手段】
【００２０】
上記課題を解決する一形態としての直交偏波信号受信装置は、直交する第１及び第２の偏波を用いてそれぞれ伝送される第１及び第２の信号をそれぞれ受信する第１及び第２の受信装置を有し、前記第１及び第２の受信装置は、自装置で受信する信号と異なる偏波の信号を受信する異偏波受信装置に対して、自装置で受信した信号を干渉補償用信号として出力し、前記異偏波受信装置から入力される干渉補償用信号を用いて、自装置で受信される信号の偏波干渉を補償する直交偏波信号受信装置において、前記第１及び第２の受信装置は、受信信号の異常が検出されたとき、前記干渉補償用信号の出力停止の有効性を判定する判定部と、前記判定部により前記干渉補償用信号の出力停止が有効でないと判定された場合、該干渉補償用信号の前記異偏波受信装置への出力停止を解除するスケルチ部と、を備えたものである。
【００２１】
また、前記第１及び第２の受信装置は、受信信号の異常が検出されたとき、前記干渉補償用信号を所定レベル変化させて出力するレベル制御部と、前記異偏波受信装置から入力される干渉補償用信号のレベルを検出するレベル検出部と、前記異偏波受信装置から入力される干渉補償用信号のレベルが正常時のレベルと異なるレベルであることを検出したとき、自装置の偏波干渉補償を停止状態と作動状態とに切り替えて該干渉補償用信号の有効性を判定し、該干渉補償用信号が有効と判定された場合に、自装置の偏波干渉補償を作動状態にする制御部と、を備えたものである。
【００２２】
また、前記第１及び第２の受信装置は、自装置で受信する信号と異なる偏波の信号を受信する異偏波受信装置から入力される干渉補償用信号に対して、フレーム同期処理を行うフレーム同期部と、前記フレーム同期部によるフレーム同期状態、及び該干渉補償用信号のフレーム中から抽出した、前記第１又は第２の何れの偏波であるかを示す偏波識別信号を基に、自装置の受信信号と、前記異偏波受信装置から入力された干渉補償用信号とが、同一信号源であるか否かを判定し、異なる信号源と判定された場合には、自装置の偏波干渉補償を作動させる制御部と、を備えたものである。
【００２３】
また、上記課題を解決する一形態としての交差偏波干渉補償制御方法は、直交する第１及び第２の偏波を用いてそれぞれ伝送される第１及び第２の信号を、それぞれ第１及び第２の受信装置で受信し、前記第１及び第２の受信装置は、自装置で受信する信号と異なる偏波の信号を受信する異偏波受信装置に対して、自装置で受信した信号を干渉補償用信号として出力し、前記異偏波受信装置から入力される干渉補償用信号を用いて、自装置で受信される信号の偏波干渉を補償する交差偏波干渉補償制御方法において、前記第１及び第２の受信装置は、受信信号の異常が検出されたとき、前記干渉補償用信号の出力停止の有効性を判定する第１のステップと、前記第１のステップにより前記干渉補償用信号の出力停止が有効でないと判定された場合、該干渉補償用信号の前記異偏波受信装置への出力停止を解除する第２のステップと、を含むものである。
【発明の効果】
【００２４】
受信信号に異常発生が検出される状態であっても、該受信信号が異偏波受信装置での偏波干渉の補償用信号として使用可能な場合に、該受信信号を干渉補償用信号として送出することが可能となり、異偏波受信装置での偏波干渉補償を有効に行う時間が増大し、通信品質を向上させることができる。
【図面の簡単な説明】
【００２５】
【図１】第１の実施例の構成例を示す図である。
【図２】第１の実施例の交差偏波干渉補償の動作シーケンス例を示す図である。
【図３】第１の実施例の処理フロー例を示す図である。
【図４】第２の実施例の構成例を示す図である。
【図５】第２の実施例の交差偏波干渉補償の動作シーケンス例を示す図である。
【図６】第２の実施例の処理フロー例を示す図である。
【図７】第３の実施例の構成例を示す図である。
【図８】第３の実施例の交差偏波干渉補償の動作シーケンス例を示す図である。
【図９】第３の実施例の処理フロー例を示す図である。
【図１０】干渉補償部の出力信号の信号座標上での信号分布例を示す図である。
【図１１】第４の実施例の構成例を示す図である。
【図１２】第４の実施例の交差偏波干渉補償の動作シーケンス例を示す図である。
【図１３】第４の実施例の処理フロー例を示す図である。
【図１４】干渉補償用信号の有効性の判定の処理フロー例を示す図である。
【図１５】第５の実施例の構成例を示す図である。
【図１６】第５の実施例の交差偏波干渉補償の動作シーケンス例を示す図である。
【図１７】第５の実施例の処理フロー例を示す図である。
【図１８】第６の実施例の構成例を示す図である。
【図１９】第６の実施例の交差偏波干渉補償の動作シーケンス例を示す図である。
【図２０】第６の実施例の処理フロー例を示す図である。
【図２１】従来の直交偏波信号受信装置の構成例を示す図である。
【図２２】従来の受信信号の異常検出時の交差偏波干渉補償の動作シーケンス例を示す図である。
【図２３】従来の受信信号の異常検出時の交差偏波干渉補償の処理フロー例を示す図である。
【発明を実施するための形態】
【００２６】
この直交偏波信号受信装置は、自装置で受信信号の異常を検出すると、異偏波受信装置の干渉補償部で使用される偏波干渉補償用信号の送出を一旦停止し、偏波干渉補償用信号が偏波干渉補償に使用可能か否かを判定し、使用可能と判定された場合には、該偏波干渉補償用信号の送出停止を解除する。
【実施例１】
【００２７】
図１に第１の実施例の構成例を示す。Ｖ偏波受信装置１００で受信されるＶ偏波の受信信号は、受信部１０１で中間周波数信号（ＩＦ）への周波数変換、信号電力調整等の処理が施され、自偏波復調部１０３及びスケルチ部１０２に出力される。自偏波復調部１０３に入力された中間周波数信号（ＩＦ）は復調処理が施された後、干渉補償部１０５で偏波干渉成分が除去され、信号処理部１０６で同期検出等の処理が行われる。
【００２８】
受信信号の異常を検出する異常検出部１１０は、受信信号の異常を検出すると、スケルチ部１０２により異偏波側のＨ偏波受信装置２００への偏波干渉補償用信号ＸＩＦ（Ｖ）の出力を遮断する。そして、異常検出から所定の待機時間Ｔｗ（図２参照）が経過した後に、判定部１１１は、受信信号が異偏波受信装置２００での偏波干渉補償用信号として使用可能か否かの判定を開始する。
【００２９】
判定部１１１は、受信信号の異常が、自偏波（Ｖ偏波）信号の送信停止によるものか否かを判定する。受信信号の異常が、自偏波（Ｖ偏波）信号の送信停止によるものである場合は、受信信号が偏波干渉補償用信号として使用不可と判定し、自偏波（Ｖ偏波）信号の送信停止以外によるものである場合は、受信信号が偏波干渉補償用信号として使用可能と判定する。
【００３０】
判定部１１１は、受信信号が偏波干渉補償用信号として有効であると判定すると、スケルチ部１０２での干渉補償用信号ＸＩＦ（Ｖ）の出力の遮断を解除し、異偏波側受信装置２００への干渉補償用信号ＸＩＦ（Ｖ）の出力を再開する。なお、待機時間Ｔｗの経過後に判定部１１１で判定動作を行うのは、異常検出直後の受信状態を、干渉補償用信号の有効性の判定期間から除外し、判定部１１１における判定動作をより安定化させるためである。
【００３１】
図２に第１の実施例の交差偏波干渉補償の動作シーケンス例を示す。（ａ）はＶ偏波側の受信信号の正常／異常を表し、（ｂ）はＶ偏波側の中間周波数信号ＸＩＦ（Ｖ）の有効性の判定結果を表し、（ｃ）はＶ偏波側の中間周波数信号ＸＩＦ（Ｖ）の出力を表し、（ｄ）はＨ偏波側の偏波干渉補償（ＸＰＩＣ）の動作を表している。
【００３２】
図２に示すように、Ｖ偏波側の受信信号が正常のときは、Ｖ偏波側の中間周波数信号ＸＩＦ（Ｖ）をＨ偏波側に送出し、Ｈ偏波側で偏波干渉補償（ＸＰＩＣ）を作動させる。Ｖ偏波側の受信信号の異常を検出すると、該異常の検出後、待機時間Ｔｗの経過の後、Ｖ偏波側の中間周波数信号ＸＩＦ（Ｖ）の、干渉補償用信号としての有効性を判定する。
【００３３】
該判定により、該中間周波数信号ＸＩＦ（Ｖ）が干渉補償用信号として有効と判定された場合には、Ｖ偏波側の受信信号の異常が検出されていても、スケルチを解除し、Ｖ偏波側の中間周波数信号ＸＩＦ（Ｖ）の送出を開始し、Ｈ偏波側での偏波干渉補償（ＸＰＩＣ）を作動させる。
【００３４】
図３に第１の実施例の処理フロー例を示す。Ｖ偏波受信装置では、受信信号の異常を検出すると（３−１）、待機タイマ（計測時間Ｔｗ）を起動する（３−２）とともに、スケルチを起動し、Ｖ偏波側の中間周波数信号ＸＩＦ（Ｖ）の送出を停止する（３−３）。Ｈ偏波受信装置では、Ｖ偏波受信装置からの中間周波数信号ＸＩＦ（Ｖ）の入力断を検出すると（３−４）、偏波干渉補償（ＸＰＩＣ）の機能を停止する（３−５）。
【００３５】
Ｖ偏波受信装置では、待機タイマの経過時間が計測時間Ｔｗに達したか否かを監視し（３−６）、計測時間Ｔｗに達すると状態監視を開始し（３−７）、監視タイマ（計測時間Ｔｓ）を起動する（３−８）。そして、該監視タイマの経過時間が計測時間Ｔｓに達したか否かを監視し（３−９）、該計測時間Ｔｓに達すると、状態監視を終了する（３−１０）。
【００３６】
状態監視の結果、Ｖ偏波側の中間周波数信号ＸＩＦ（Ｖ）の干渉補償用信号としての有効性を判定し（３−１１）、該中間周波数信号ＸＩＦ（Ｖ）が干渉補償用信号として有効と判定された場合には、スケルチを解除してＨ偏波受信装置への中間周波数信号ＸＩＦ（Ｖ）の送出を開始する（３−１３）。
【００３７】
中間周波数信号ＸＩＦ（Ｖ）が干渉補償用信号として無効と判定された場合は、その後、Ｖ偏波受信装置で受信信号の正常が検出された後（３−１２）、スケルチを解除して中間周波数信号ＸＩＦ（Ｖ）の送出を開始する（３−１３）。Ｈ偏波受信装置では、Ｖ偏波受信装置からの中間周波数信号ＸＩＦ（Ｖ）の入力復旧を検出すると（３−１４）、偏波干渉補償（ＸＰＩＣ）の機能を起動する（３−１５）。
【実施例２】
【００３８】
図４に第２の実施例の構成例を示す。第２の実施例では、例えばＶ偏波受信装置１００の異常検出部１１０で受信信号の異常を検出すると、スケルチ部１０２により、Ｈ偏波受信装置２００の干渉補償用信号である中間周波数信号の送出を一旦停止するとともに、自装置の干渉補償部１０５の動作を停止させ、異常検出状態の変化を観測する。以下では、Ｖ偏波受信装置１００で受信信号の異常が検出された場合について説明するが、Ｈ偏波受信装置２００で受信信号の異常が検出された場合も、Ｖ偏波側とＨ偏波側とを逆にした同様の動作となる。
【００３９】
Ｖ偏波受信装置１００の干渉補償部１０５の動作を停止させたとき、該干渉補償部１０５以降の部位で受信信号の異常が依然として解消されない場合には、受信信号の異常の原因がＶ偏波信号の送信停止以外であると判断する。そして、受信信号の中間周波数信号は、Ｈ偏波側受信装置２００での干渉補償用信号ＸＩＦとして使用可能と判定し、出力停止していた中間周波数信号ＸＩＦの出力を再開する。
【００４０】
上述の動作を詳述すると、対向する送信装置のＶ偏波の送信出力が停止すると、Ｈ偏波側からの干渉成分がＶ偏波受信装置１００で受信される。この場合、Ｈ偏波受信装置２００からの中間周波数信号ＸＩＦ（Ｈ）と、Ｖ偏波側装置１００の受信信号の中間周波数信号とは、信号源が同一である。
【００４１】
従って、Ｖ偏波受信装置１００の干渉補償部１０５では、同一信号を同位相又は逆位相で合成することとなる。そのため、干渉補償部１０５の出力信号の信号座標上で、信号点消失又は発散等が発生し（図１０参照）、後段の信号処理部１０６で異常が検出される。
【００４２】
しかし、Ｖ偏波受信装置１００の干渉補償部１０５の機能を停止すると、干渉補償部１０５の出力は、干渉により受信されるＨ偏波信号の中間周波数信号のみとなり、同一信号の合成による異常は解消される。そこで、異常検出から待機タイマ１１２の待機時間Ｔｗの経過後に、干渉補償部１０５の機能停止と同時に監視タイマ１１３を起動し、予め定めた計測時間Ｔｓを計測し、該計測時間Ｔｓの間に異常が解消されるか否かを監視する。
【００４３】
監視タイマ１１３の計測時間Ｔｓが経過しても異常が解消されない場合には、Ｖ偏波受信装置１００の受信部１０１の受信信号の中間周波数信号と、Ｈ偏波受信装置２００から入力された干渉補償用信号ＸＩＦ（Ｈ）とは、信号源が異なることとなる。従って、この場合は、Ｖ偏波の信号が送信されていると判断し、Ｖ偏波受信装置１００の受信信号の中間周波数信号ＸＩＦ（Ｖ）は、偏波干渉補償用として使用可能であると判定し、スケルチ部１０２での遮断を解除し、該中間周波数信号ＸＩＦ（Ｖ）の出力を再開する。
【００４４】
干渉補償部１０５の機能を停止した状態で、監視タイマ１１３の計測時間Ｔｓの経過前に異常が解消された場合、Ｖ偏波受信装置１００に、Ｈ偏波信号のみが受信されているか、又はＶ偏波信号が正常に送信され受信されているかの二通りの場合がある。そこでこの何れの場合であるかを判定するため、干渉補償部１０５を作動させるとともに、判定タイマ１１４を起動し、時間Ｔｊを計測する。
【００４５】
干渉補償部１０５を作動させた状態で、判定タイマの計測時間Ｔｊの経過後に、受信異常が解消されたままの状態であれば、Ｖ偏波信号が正常に受信されていると判断する。従って、その受信信号の中間周波数信号は、干渉補償用信号ＸＩＦ（Ｖ）として使用可能であると判定し、スケルチ部１０２での遮断を解除し、該干渉補償用信号ＸＩＦ（Ｖ）出力を再開する。
【００４６】
一方、干渉補償部１０５を作動させた状態で、判定タイマの計測時間Ｔｊの経過後に、受信異常が再度発生した場合には、干渉によるＨ偏波信号のみが受信され、Ｖ偏波信号は受信されていないと判断する。従って、受信信号の中間周波数信号は、干渉補償用信号ＸＩＦ（Ｖ）として使用不可と判定し、スケルチ部１０２での遮断を維持したままとする。
【００４７】
図５に第２の実施例の交差偏波干渉補償の動作シーケンス例を示す。（ａ）はＶ偏波側の受信信号の正常／異常を表し、（ｂ）は監視タイマ（計測時間Ｔｓ）の起動状態を表し、（ｃ）はＶ偏波側の偏波干渉補償（ＸＰＩＣ）の動作状態を表し、（ｄ）はＶ偏波側の干渉補償用信号ＸＩＦの出力状態を表し、（ｅ）はＨ偏波側の偏波干渉補償（ＸＰＩＣ）の動作状態を表している。
【００４８】
図５に示すように、Ｖ偏波側の受信信号の異常を検出すると、直ちに干渉補償用信号ＸＩＦの出力を停止する。そして該異常の検出後、待機時間Ｔｗの経過の後、監視タイマ（計測時間Ｔｓ）を起動すると共に、Ｖ偏波側の偏波干渉補償の動作を停止する。監視タイマの計測時間Ｔｓ後、異常状態が継続していれば、Ｖ偏波側の偏波干渉補償を作動させると共に、干渉補償用信号ＸＩＦの出力を再開し、Ｈ偏波側の偏波干渉補償（ＸＰＩＣ）を作動させる。
【００４９】
図６に第２の実施例の処理フロー例を示す。Ｖ偏波受信装置では、受信信号の異常を検出すると（６−１）、待機タイマ（計測時間Ｔｗ）を起動するとともに（６−２）、スケルチを起動し、Ｖ偏波側の中間周波数信号ＸＩＦの送出を停止する（６−３）。Ｈ偏波受信装置では、Ｖ偏波受信装置からの中間周波数信号ＸＩＦの入力断を検出すると（６−４）、偏波干渉補償（ＸＰＩＣ）の機能を停止する（６−５）。
【００５０】
Ｖ偏波受信装置では、待機タイマの経過時間が計測時間Ｔｗに達したか否かを監視し（６−６）、該計測時間Ｔｗに達すると、偏波干渉補償（ＸＰＩＣ）の機能を停止し（６−７）、監視タイマ（計測時間Ｔｓ）を起動する（６−８）。そして、監視タイマの経過時間が計測時間Ｔｓに達したか否かを監視する（６−９）。
【００５１】
監視タイマの計測時間Ｔｓが経過するまで、受信状態が正常か異常かを判定する（６−１０）。干渉補償部の機能を停止した状態で、受信信号の異常が依然として検出された場合は、Ｈ偏波のみの送信状態ではなく、Ｖ偏波が送信されていると判断する。従って、監視タイマの計測時間Ｔｓが経過するまで、受信信号の異常が検出された場合は、Ｖ偏波受信装置の受信信号が干渉補償用信号として使用可能と判定し、干渉補償部の機能を起動し（６−１５）、スケルチを解除して受信信号の中間周波数信号ＸＩＦの出力を開始する（６−１６）。
【００５２】
一方、判定処理６−１０において、監視タイマの計測時間Ｔｓが経過する前に、受信状態が正常となった場合、この場合は、（１）Ｖ偏波の送信が停止し、Ｈ偏波がＶ偏波受信装置で受信されている場合、又は（２）Ｖ偏波及びＨ偏波が共に送信され、Ｖ偏波がＶ偏波受信装置で正常に受信されている場合である。
【００５３】
そこで、偏波干渉補償（ＸＰＩＣ）の機能を起動し（６−１１）、判定タイマ（計測時間Ｔｊ）を起動し（６−１２）、判定タイマの経過時間が計測時間Ｔｊに達したか否かを監視する（６−１３）。判定タイマの計測時間Ｔｊが経過した後、再び受信状態が正常か否かを判定する（６−１４）。
【００５４】
偏波干渉補償（ＸＰＩＣ）の機能を作動させた状態で、判定タイマの計測時間Ｔｊの経過後に受信状態が異常であれば、上述の（１）のＶ偏波の送信が停止し、Ｈ偏波がＶ偏波受信装置で受信されていると判断し、処理フロー６−７に戻って同様の処理を繰り返す。
【００５５】
一方、偏波干渉補償（ＸＰＩＣ）の機能を作動させた状態で、判定タイマの計測時間Ｔｊの経過後に受信状態が正常であれば、上述の（２）のＶ偏波及びＨ偏波が共に送信されていると判断する。従ってこの場合は、Ｖ偏波受信装置の受信信号が干渉補償用信号として使用可能と判定し、偏波干渉補償（ＸＰＩＣ）の機能を起動し（６−１５）、スケルチを解除して受信信号の中間周波数信号ＸＩＦの出力を開始する（６−１６）。Ｈ偏波受信装置では、Ｖ偏波受信装置からの中間周波数信号ＸＩＦの入力復旧を検出すると（６−１７）、偏波干渉補償（ＸＰＩＣ）の機能を起動する（６−１８）。
【００５６】
なお、偏波干渉補償（ＸＰＩＣ）の機能を停止したとき、受信信号に依然として異常が検出され、Ｖ偏波信号が送信されていると判断した場合において、Ｖ偏波信号とＨ偏波信号と識別するための偏波識別信号の付加ビット（ルート識別ビット等）を要因とする異常である場合は、スケルチ解除は行わない。
【００５７】
また、偏波干渉補償（ＸＰＩＣ）の機能を停止した状態で受信信号の異常を監視する監視タイマの計測時間Ｔｓを、通常状態で、搬送波再生ＰＬＬ回路や波形等化回路等の閉ループの制御が収束し、異常解消に要する時間よりも長い時間に設定することにより、中間周波数信号ＸＩＦの使用可否判定の精度を高めることができる。
【実施例３】
【００５８】
第３の実施例の構成例を図７に示す。この実施例では、自装置として例えばＶ偏波受信装置１００で受信信号の異常を検出したとき、異偏波側受信装置のＨ偏波受信装置２００の干渉補償部２０５への干渉補償用信号である中間周波数信号ＸＩＦ（Ｖ）の送出を一旦停止し、自装置の干渉補償部１０５の出力の信号分布を観測する。
【００５９】
そして、信号の消失又は発散が発生していない場合に、該中間周波数信号ＸＩＦ（Ｖ）が干渉補償用信号として有効と判定し、停止していた中間周波数ＸＩＦ（Ｖ）信号の送出を再開する。以下では、Ｖ偏波受信装置１００で受信信号の異常が検出された場合について説明するが、Ｈ偏波受信装置２００で受信信号の異常が検出された場合も、Ｖ偏波側とＨ偏波側とが逆となる以外は同様に動作する。
【００６０】
Ｖ偏波の送信装置の送信出力が停止すると、Ｈ偏波側からの干渉成分がＶ偏波受信装置１００で受信される。この場合には、Ｈ偏波受信装置２００からの中間周波数信号ＸＩＦ（Ｈ）の入力信号とＶ偏波側装置１００の受信信号の中間周波数信号ＩＦは、信号源が同一となり、Ｖ偏波受信装置１００の干渉補償部１０５では、同一信号を同位相又は逆位相で合成することとなるため、干渉補償部１０５の出力は、信号座標上で信号点消失又は発散等が発生し（図１０参照）、信号分布に偏りが生じ、後段の信号処理部１０６で異常が検出される。
【００６１】
従って、異常検出から所定の待機時間Ｔｗの経過後に、信号分布判定部１１５により干渉補償部１０５の出力の信号点分布状況の観測を行い、監視時間Ｔｓが経過した時点で信号点分布が、図１０（ａ）のように正常な分布であるか、図１０（ｂ）に示すように異常な分布であるかの判定を行う。
【００６２】
信号点分布が正常の場合には、受信信号の中間周波数信号とＨ偏波受信装置２００からの干渉補償用信号ＸＩＦ（Ｈ）とは、信号源が異なると判断し、自装置の受信信号の中間周波数信号は、干渉補償用信号ＸＩＦ（Ｖ）として使用可能であると判定する。従って、この場合スケルチ部１０２での遮断を解除し、干渉補償用信号ＸＩＦ（Ｖ）の出力を再開する。
【００６３】
異常検出から所定の時間Ｔｗ（図８）が経過した後に、信号分布判定部１１５にて干渉補償部１０５の出力の信号点分布状況の観測を行い、時間Ｔｓ（図８）が経過した時点で信号点分布が正常（図１０（ａ）参照）か異常（図１０（ｂ）参照）かの判定を行う。
【００６４】
信号点分布が正常の場合には、受信中間周波数信号ＩＦと干渉補償用信号ＸＩＦ（Ｈ）とは、信号源が異なると判断し、干渉補償用信号ＸＩＦ（Ｖ）は干渉補償用として使用可能であると判定し、スケルチ部１０２での遮断を解除し、干渉補償用信号ＸＩＦ（Ｖ）信号の出力を再開する。
【００６５】
図８に第３の実施例の交差偏波干渉補償の動作シーケンス例を示す。（ａ）はＶ偏波側の受信信号の正常／異常を表し、（ｂ）はＶ偏波側の偏波干渉補償（ＸＰＩＣ）の動作状態を表し、（ｃ）はＶ偏波側の干渉補償部（ＸＰＩＣ）の出力の判定動作及び判定結果を表し、（ｄ）はＶ偏波側の干渉補償用信号ＸＩＦ（Ｖ）の出力状態を表し、（ｅ）はＨ偏波側の偏波干渉補償（ＸＰＩＣ）の動作状態を表している。
【００６６】
図８に示すように、Ｖ偏波側の受信信号の異常を検出すると、直ちに干渉補償用信号ＸＩＦの出力を停止する。そして該異常の検出後、待機時間Ｔｗの経過の後、監視タイマの計測時間Ｔｓの期間内に、Ｖ偏波側の干渉補償部の出力の信号点分布を基に該信号の正常／異常の判定を行う。正常であれば、干渉補償用信号ＸＩＦの出力を再開し、Ｈ偏波側の偏波干渉補償（ＸＰＩＣ）を作動させる。
【００６７】
図９に第３の実施例の処理フロー例を示す。Ｖ偏波受信装置では、受信信号の異常を検出すると（９−１）、待機タイマ（計測時間Ｔｗ）を起動するとともに（９−２）、スケルチを起動し、Ｖ偏波側の中間周波数信号ＸＩＦの送出を停止する（９−３）。Ｈ偏波受信装置では、Ｖ偏波受信装置からの中間周波数信号ＸＩＦの入力断を検出すると（９−４）、偏波干渉補償（ＸＰＩＣ）の機能を停止する（９−５）。
【００６８】
Ｖ偏波受信装置では、待機タイマの経過時間が計測時間Ｔｗに達したか否かを監視し（９−６）、該計測時間Ｔｗに達すると、干渉補償部（ＸＰＩＣ）の出力の監視を開始し（９−７）、監視タイマ（計測時間Ｔｓ）を起動する（９−８）。そして、監視タイマの経過時間が計測時間Ｔｓに達したか否かを監視する（９−９）。
【００６９】
監視タイマの計測時間Ｔｓの経過後、受信状態が正常か異常かを判定する（９−１０）。受信状態が正常と判定された場合は、干渉補償部（ＸＰＩＣ）の出力の監視を終了し（９−１１）、スケルチを解除して受信信号の中間周波数信号ＸＩＦの出力を開始する（９−１３）。
【００７０】
受信状態がなお異常と判定された場合は、干渉補償部（ＸＰＩＣ）の出力が正常か異常かを判定する（９−１２）。正常と判定された場合は、スケルチを解除して受信信号の中間周波数信号ＸＩＦの出力を開始する（９−１３）。異常と判定された場合は、処理フロー９−８に戻って同様の処理を繰り返す。Ｈ偏波受信装置では、Ｖ偏波受信装置からの中間周波数信号ＸＩＦの入力復旧を検出すると（９−１４）、偏波干渉補償（ＸＰＩＣ）の機能を起動する（９−１５）。
【００７１】
図１０に干渉補償部の出力信号の信号座標上での信号分布例を示す。図１０の（ａ）は正常分布を示し、左側は信号品質が良好の場合、右側は信号品質が劣化している場合の分布を示している。図１０の（ｂ）は異常分布を示し、左側は信号消失の場合、右側は信号発散の場合の分布を示している。
【実施例４】
【００７２】
第４の実施例の構成例を図１１に示す。この実施例では、自装置例えばＶ偏波受信装置１００で受信信号の異常を検出すると、異偏波側受信装置のＨ偏波受信装置２００の干渉補償部２０５への干渉補償用信号ＸＩＦ（Ｖ）を所定レベル変化させる。該干渉補償用信号ＸＩＦ（Ｖ）を入力する異偏波側受信装置では、該信号の所定レベルの変化を検出したとき、該干渉補償用信号ＸＩＦ（Ｖ）が偏波干渉補償用信号として有効か否かの判定を行い、有効な場合には干渉補償部２０５を作動させる。
【００７３】
具体的に説明すると、例えばＶ偏波受信装置１００で異常を検出すると、レベル制御部１１６で干渉補償用信号ＸＩＦ（Ｖ）の出力を所定レベル変化させる。この干渉補償用信号ＸＩＦ（Ｖ）を入力したＨ偏波受信装置１００では、レベル検出部２１７で干渉補償用信号ＸＩＦ（Ｖ）の入力レベル変化を検出する。制御部２１８は、該入力レベル変化の検出により、一旦、干渉補償部２０５の機能を停止し、該干渉補償用信号ＸＩＦ（Ｖ）の有効性の判定を開始する。
【００７４】
有効性の判定の手法の一例として、Ｈ偏波受信装置２００は、制御部２１８により自装置の同期が確立されるまで、干渉補償部２０５の機能の停止／作動の周期的な切り替えを行う。そして、干渉補償部２０５の作動中に同期が確立されれば、干渉補償用信号ＸＩＦ（Ｖ）は偏波干渉補償用信号として有効であると判定する。干渉補償部２０５の機能停止中に同期が確立されれば、干渉補償用信号ＸＩＦ（Ｖ）は無効と判定し、干渉補償用信号ＸＩＦ（Ｖ）の入力レベルが復旧するまで、干渉補償部２０５の機能を停止した状態で運用する。
【００７５】
なお、干渉補償部２０５の停止／作動の切り替えを行う際に、停止時間Ｔｓ１及び作動時間Ｔｓ２として、交差偏波識別度（ＸＰＤ）が劣化している状況下においても、搬送波再生ＰＬＬ回路や波形等化回路等の閉ループの制御が収束し、異常解消に十分な時間が設定されるようにする。
【００７６】
一方、Ｖ偏波受信装置１００では、受信信号の異常の解除を検出すると、干渉補償用信号ＸＩＦ（Ｖ）の出力を、所定時間Ｔｒの間に徐々に正常時のレベルに戻す。所定時間Ｔｒは、Ｈ偏波受信装置２００の干渉補償部２０５の動作を阻害しない程度の時間が設定される。なお、異常検出時に、干渉補償用信号ＸＩＦ（Ｖ）の出力レベルを変化させる場合、該出力レベルを低下させ又は上昇させる構成とすることができる。
【００７７】
図１２に第４の実施例の交差偏波干渉補償の動作シーケンス例を示す。（ａ）はＶ偏波側の受信信号の正常／異常を表し、（ｂ）はＶ偏波側の干渉補償用信号ＸＩＦ（Ｖ）の出力状態を表し、（ｃ）はＨ偏波側の干渉補償部（ＸＰＩＣ）の動作状態を表し、（ｄ）はＨ偏波受信装置の同期判定の結果を表し、（ｅ）はＨ偏波側の偏波干渉補償（ＸＰＩＣ）の有効性の判定結果を表している。
【００７８】
図１２に示すように、Ｖ偏波側の受信信号の異常を検出すると、直ちに干渉補償用信号ＸＩＦを、例えば所定レベル低下させて出力する。Ｈ偏波側では該干渉補償用信号ＸＩＦの入力レベルの低下の検出後、干渉補償部（ＸＰＩＣ）の機能の停止／作動を、停止時間Ｔｓ１、作動時間Ｔｓ２として周期的に切り替る。
【００７９】
Ｈ偏波側では、干渉補償部（ＸＰＩＣ）の機能の停止／作動の切り替えの実施期間中に、同期が確立するか否かを判定する。干渉補償部（ＸＰＩＣ）の作動中に同期が確立すれば、干渉補償用信号ＸＩＦ（Ｖ）は偏波干渉補償用として有効であると判定する。一方、Ｖ偏波受信装置では、受信信号の異常の解除を検出すると、干渉補償用信号ＸＩＦ（Ｖ）の出力を、所定時間Ｔｒの間に徐々に正常時のレベルに戻す。
【００８０】
図１３に第４の実施例の処理フロー例を示す。Ｖ偏波受信装置では、受信信号の異常を検出すると（１３−１）、干渉補償用信号ＸＩＦの出力レベルを減衰させる（１３−２）。Ｈ偏波受信装置では、Ｖ偏波受信装置からの干渉補償用信号ＸＩＦの入力レベル低下を検出すると（１３−３）、偏波干渉補償（ＸＰＩＣ）の機能を停止させ（１３−４）、該干渉補償用信号ＸＩＦの有効性の判定を開始する（１３−５）。該干渉補償用信号ＸＩＦの有効性の判定（１３−６）により、有効と判定された場合には、干渉補償部（ＸＰＩＣ）の機能を起動する（１３−７）。
【００８１】
一方、Ｖ偏波受信装置では、受信信号の正常性が検出されると（１３−８）、干渉補償用信号ＸＩＦの出力レベルの減衰出力を解除する（１３−９）。Ｈ偏波受信装置では、干渉補償用信号ＸＩＦの出力レベルが正常時のレベルに復旧したことを検出すると（１３−１０）、干渉補償部（ＸＰＩＣ）の機能を起動する（１３−７）。
【００８２】
実施例４における干渉補償用信号ＸＩＦの有効性の判定の処理フロー例を図１４に示す。干渉補償用信号ＸＩＦの入力レベルの低下を検出すると（１４−１）、自装置の干渉補償部（ＸＰＩＣ）の機能を停止する（１４−２）。この状態で同期外れが発生している否かを判定する（１４−３）。
【００８３】
同期外れが発生している場合は、第１の観察タイマ（計測時間Ｔｓ１）を起動し（１４−４）、第１の観察タイマの計測時間Ｔｓ１が経過するか否かを判定する（１４−５）。第１の観察タイマの計測時間Ｔｓ１が経過するまで、同期外れの状態か否かを判定する（１４−６）。
【００８４】
第１の観察タイマの計測時間Ｔｓ１が経過する前に、同期外れが解消された場合には、干渉補償用信号ＸＩＦの入力レベルが正常時のレベルに復旧したか否かを判定し（１４−７）、正常時のレベルに復旧した場合に干渉補償部（ＸＰＩＣ）の機能を起動する（１４−８）。
【００８５】
第１の観察タイマの計測時間Ｔｓ１が経過するまで、同期外れの状態であった場合は、干渉補償部（ＸＰＩＣ）の機能を起動し（１４−９）、第２の観察タイマ（計測時間Ｔｓ２）を起動する（１４−１０）。第２の観察タイマの計測時間Ｔｓ２が経過するか否かを判定し（１４−１１）、第２の観察タイマの計測時間Ｔｓ２が経過するまで、同期外れの状態か否かを判定する（１４−１２）。
【００８６】
第２の観察タイマの計測時間Ｔｓ２が経過するまで、同期外れの状態が継続した場合は、処理フロー１４−２に戻って同様の処理を繰り返す。一方、第２の観察タイマの計測時間Ｔｓ２が経過する前に、同期外れの状態が解消された場合は、干渉補償部（ＸＰＩＣ）の機能を起動状態のままにしておく。
【実施例５】
【００８７】
第５の実施例の構成例を図１５に示す。この実施例では、Ｖ偏波及びＨ偏波の各受信装置１００，２００に、自装置の偏波干渉補部１０５，２０５へ入力される干渉補償用信号ＸＩＦのフレーム同期処理を行うフレーム同期部１１９，２１９を設ける。該フレーム同期部１１９，２１９によるフレーム同期状態、及びフレーム中から抽出したＶ偏波／Ｈ偏波識別信号を基に、自装置の受信信号と、異偏波受信装置から入力された干渉補償用信号ＸＩＦとが、同一信号源であるか否かを判定する。同一信号源と判定された場合には、偏波干渉補償の機能を停止する。
【００８８】
具体的に説明すると、例えばＶ偏波受信装置１００のフレーム同期部１１９は、Ｈ偏波受信装置２００からの干渉補償用信号ＸＩＦ（Ｈ）のフレーム同期処理を行う。該干渉補償用信号ＸＩＦ（Ｈ）がＶ偏波受信装置１００の受信信号と同一信号源であれば、該干渉補償用信号ＸＩＦ（Ｈ）とＶ偏波受信装置１００の受信信号とは同期する。それらが同期しない場合は、該干渉補償用信号ＸＩＦ（Ｈ）はＶ偏波受信装置１００の受信信号と異なると判断する。
【００８９】
また、Ｖ偏波信号とＨ偏波信号との間でフレーム構成が同一で、速度が同期している場合には、Ｈ偏波受信装置２００からの干渉補償用信号ＸＩＦ（Ｈ）は、Ｖ偏波受信装置１００の受信信号と同期することとなるが、その場合には、Ｖ偏波／Ｈ偏波識別信号をフレーム中の冗長ビットとして伝送し、該Ｖ偏波／Ｈ偏波識別信号を基に、Ｈ偏波受信装置２００からの干渉補償用信号ＸＩＦ（Ｈ）が、Ｖ偏波受信装置１００の受信信号と同一であるか否かを判定する。
【００９０】
上述のフレーム同期状態及びＶ偏波／Ｈ偏波識別信号から、Ｈ偏波受信装置２００からの干渉補償用信号ＸＩＦ（Ｈ）が、Ｖ偏波受信装置１００の受信信号と同一であると判定された場合には、制御部１１８により干渉補償部１０５の機能を停止する。これにより、受信信号と同一の信号を偏波干渉補償用信号として用いることによる信号品質劣化を回避することが可能となる。
【００９１】
図１６に第５の実施例の交差偏波干渉補償の動作シーケンス例を示す。（ａ）はＶ偏波側の干渉補償部（ＸＰＩＣ）の動作状態を表し、（ｂ）はＶ偏波側に入力された干渉補償用信号ＸＩＦ（Ｈ）の識別結果を表し、（ｃ）はＶ偏波側に入力された干渉補償用信号ＸＩＦ（Ｈ）の有効／無効の判定結果を表している。
【００９２】
図１６に示すように、Ｖ偏波側に入力された干渉補償用信号ＸＩＦ（Ｈ）がＶ偏波信号であると識別されると、該干渉補償用信号ＸＩＦ（Ｈ）は無効と判定し、Ｖ偏波側の干渉補償部（ＸＰＩＣ）の動作を停止する。一方、Ｖ偏波側に入力された干渉補償用信号ＸＩＦ（Ｈ）がＨ偏波信号であると識別されると、該干渉補償用信号ＸＩＦ（Ｈ）は有効と判定し、Ｖ偏波側の干渉補償部（ＸＰＩＣ）を作動させる。
【００９３】
図１７に第５の実施例の処理フロー例を示す。Ｖ偏波受信装置では、運用開始後、Ｈ偏波側から入力される干渉補償用信号ＸＩＦ（Ｈ）についてフレーム同期処理を行う（１７−１）。該フレーム同期処理の結果、同期外れが検出された場合は、偏波干渉補償（ＸＰＩＣ）の機能を起動し（１７−２）、処理フロー１７−１に戻って、該干渉補償用信号ＸＩＦ（Ｈ）のフレーム同期処理を同様に行う。
【００９４】
処理フロー１７−１で同期確立が検出された場合は、フレームからＶ偏波／Ｈ偏波識別信号を抽出する（１７−３）。該Ｖ偏波／Ｈ偏波識別信号がＨ偏波を示すものである場合、偏波干渉補償（ＸＰＩＣ）の機能を起動し（１７−５）、処理フロー１７−１に戻って、該干渉補償用信号ＸＩＦ（Ｈ）のフレーム同期処理を同様に行う。
【００９５】
該Ｖ偏波／Ｈ偏波識別信号がＶ偏波を示すものである場合、偏波干渉補償（ＸＰＩＣ）の機能を停止し（１７−６）、処理フロー１７−１に戻って、該干渉補償用信号ＸＩＦ（Ｈ）のフレーム同期処理を同様に行う。
【実施例６】
【００９６】
第６の実施例の構成例を図１８に示す。この実施例では、異偏波受信装置から入力される干渉補償用信号ＸＩＦの有効性判定のために使用するフレーム同期部１１９，２１９を、通常時は停止状態にしておく。そして、該干渉補償用信号ＸＩＦの入力レベルが通常時のレベルと異なるレベル（例えば所定レベル低下したレベル）となった場合に、該フレーム同期部１１９，２１９を動作させる。こうすることにより、通常時におけるフレーム同期部１１９，２１９の消費電力を抑制することができる。
【００９７】
具体的に説明すると、例えばＶ偏波受信装置１００のフレーム同期部１１９は、Ｈ偏波受信装置２００から入力される干渉補償用信号ＸＩＦ（Ｈ）についてフレーム同期処理を行うが、通常は動作を停止している。Ｈ偏波受信装置２００では、異常を検出すると、レベル制御部２１６により、Ｖ偏波受信装置１００への干渉補償用信号ＸＩＦ（Ｈ）の出力レベルを、通常時のレベルと異なるレベル（例えば所定レベル低下したレベル）にして出力する。
【００９８】
上記干渉補償用信号ＸＩＦ（Ｈ）を入力するＶ偏波受信装置１００では、該干渉補償用信号ＸＩＦ（Ｈ）の入力レベルの変化を、レベル検出部１１７により検出すると、一旦、自装置の干渉補償部１０５の機能を停止するとともに、フレーム同期部１１９を起動する。フレーム同期部１１９の動作開始から所定時間Ｔｓが経過するまでに、該干渉補償用信号ＸＩＦ（Ｈ）のフレーム同期が確立されない場合には、該干渉補償用信号ＸＩＦ（Ｈ）とＶ偏波側の受信信号は異なるものと判定し、干渉補償部１０５を動作させる。
【００９９】
フレーム同期部１１９で同期が確立された場合には、干渉補償用信号ＸＩＦ（Ｈ）のフレーム中に付加されたＶ偏波／Ｈ偏波識別信号（ＩＤ識別コード等）を抽出する。該Ｖ偏波／Ｈ偏波識別信号がＶ偏波信号を示す場合には、干渉補償部１０５の機能停止を継続し、Ｈ偏波信号を示す場合には、干渉補償部１０５を作動させる。
【０１００】
Ｈ偏波受信装置２００で受信信号の異常が解消され、該Ｈ偏波受信装置２００からＶ偏波受信装置１００に入力される干渉補償用信号ＸＩＦ（Ｈ）のレベルが通常時のレベルに復旧した場合には、干渉補償部１０５を作動させるとともに、フレーム同期部１１９を停止させる。
【０１０１】
図１９に第６の実施例の交差偏波干渉補償の動作シーケンス例を示す。（ａ）はＨ偏波側の受信信号の正常／異常を表し、（ｂ）はＨ偏波側の干渉補償用信号ＸＩＦ（Ｈ）の出力状態を表し、（ｃ）はＶ偏波側の干渉補償部（ＸＰＩＣ）の動作状態を表し、（ｄ）はＶ偏波受信装置のフレーム同期部の動作状態を表し、（ｅ）はＶ偏波側の偏波干渉補償（ＸＰＩＣ）の有効性の判定結果を表している。
【０１０２】
図１９に示すように、Ｈ偏波側で受信信号の異常を検出すると、直ちに干渉補償用信号ＸＩＦ（Ｈ）を所定レベル低下させて出力する。Ｖ偏波側では該干渉補償用信号ＸＩＦ（Ｈ）の入力レベルの低下を検出すると、フレーム同期部を作動させる。
【０１０３】
Ｖ偏波側では、フレーム同期部の作動期間中に、同期が確立するか否か及び干渉補償用信号ＸＩＦ（Ｈ）がＨ偏波信号かＶ偏波信号かを判定し、偏波干渉補償（ＸＰＩＣ）の有効性を判定する。偏波干渉補償（ＸＰＩＣ）が無効と判定されれば、干渉補償部（ＸＰＩＣ）の機能を停止させ、偏波干渉補償（ＸＰＩＣ）が有効と判定されれば、干渉補償部（ＸＰＩＣ）を作動させる。Ｈ偏波受信装置では、受信信号の異常の解除を検出すると、干渉補償用信号ＸＩＦ（Ｈ）の出力を、所定時間Ｔｒの間に徐々に正常時のレベルに戻す。
【０１０４】
図２０に第６の実施例の処理フロー例を示す。Ｈ偏波受信装置では、受信信号の異常を検出すると（２０−１）、干渉補償用信号ＸＩＦ（Ｈ）の出力レベルを減衰させる（２０−２）。Ｖ偏波受信装置では、Ｈ偏波受信装置からの干渉補償用信号ＸＩＦ（Ｈ）の入力レベル低下を検出すると（２０−３）、該干渉補償用信号ＸＩＦ（Ｈ）のフレーム同期処理を起動し（２０−４）、かつ、偏波干渉補償（ＸＰＩＣ）の機能を停止させ（２０−５）。
【０１０５】
次に、Ｖ偏波受信装置では、観察タイマ（計測時間Ｔｓ）を起動する（２０−６）。そして、干渉補償用信号ＸＩＦ（Ｈ）の入力レベルが復旧するか否かを監視する（２０−７）。干渉補償用信号ＸＩＦ（Ｈ）の入力レベルが低レベルのままであれば、干渉補償用信号ＸＩＦ（Ｈ）の同期状態を判定し（２０−８）、同期外れの状態であれば、観察タイマの計測時間Ｔｓが経過したか否かを判定する（２０−９）。
【０１０６】
同期外れの状態で観察タイマの計測時間Ｔｓが経過した場合は、偏波干渉補償（ＸＰＩＣ）の機能を起動する（２０−１２）。同期外れの状態で観察タイマの計測時間Ｔｓが経過していな場合は、処理フロー２０−７に戻って同様の処理を繰り返す。
【０１０７】
同期確立した場合は、干渉補償用信号ＸＩＦ（Ｈ）のフレームからＶ偏波／Ｈ偏波識別信号を抽出し（２０−１０）、該Ｖ偏波／Ｈ偏波識別信号がＶ偏波信号を示しているかＨ偏波信号を示しているかを判定する（２０−１１）。Ｈ偏波信号を示している場合は、偏波干渉補償（ＸＰＩＣ）の機能を起動する（２０−１２）。Ｖ偏波信号を示している場合は、処理フロー２０−７に戻って同様の処理を繰り返す。
【０１０８】
処理フロー２０−７において、干渉補償用信号ＸＩＦ（Ｈ）の入力レベルの復旧を検出すると、干渉補償用信号ＸＩＦ（Ｈ）のフレーム同期処理を停止する。また、Ｈ偏波受信装置において、受信信号の正常性が確認された場合には（２０−１４）、干渉補償用信号ＸＩＦ（Ｈ）の出力レベルの減衰を解除する（２０−１５）。
【符号の説明】
【０１０９】
１００  Ｖ偏波受信装置
２００  Ｈ偏波受信装置
１０１，２０１  受信部
１０２，２０２  スケルチ部
１０３，２０３  自偏波復調部
１０４，２０４  異偏波復調部
１０５，２０５  干渉補償部
１０６，２０６  信号処理部
１１０，２１０  異常検出部
１１１，２１１  判定部
【図１】
2011103502.tif 000003
【図２】
2011103502.tif 000004
【図３】
2011103502.tif 000005
【図４】
2011103502.tif 000006
【図５】
2011103502.tif 000007
【図６】
2011103502.tif 000008
【図７】
2011103502.tif 000009
【図８】
2011103502.tif 000010
【図９】
2011103502.tif 000011
【図１０】
2011103502.tif 000012
【図１１】
2011103502.tif 000013
【図１２】
2011103502.tif 000014
【図１３】
2011103502.tif 000015
【図１４】
2011103502.tif 000016
【図１５】
2011103502.tif 000017
【図１６】
2011103502.tif 000018
【図１７】
2011103502.tif 000019
【図１８】
2011103502.tif 000020
【図１９】
2011103502.tif 000021
【図２０】
2011103502.tif 000022
【図２１】
2011103502.tif 000023
【図２２】
2011103502.tif 000024
【図２３】
2011103502.tif 000025